(57)【要約】      （修正有）【課題】幅広い年齢層が利用でき汎用性に優れ、転倒や火傷の危険がなく安全性に優れ、遠赤外線効果を利用することにより省エネルギー性に優れ、特にコンクリートパネル等のプレキャストコンクリート部材やボックスカルバート等の躯体を使用することにより、入浴室を簡単な構造で容易に形成でき設計自在性があり、建設時の工期を短縮でき生産性に優れると共に、清掃やメンテナンスの作業性に優れる衛生的な岩盤風呂を提供する。【解決手段】床部２ａ、側壁部２ｂ、天井部２ｃがコンクリートで作製された入浴室２と、側壁部及び天井部の外面に形成された外壁断熱材層３と、床部に形成された通路部１５と、通路部より高い位置で床部に形成されたベッド部４と、ベッド部の上面に表面を露出して埋設された遠赤外線等の電磁波を放射する放射体岩盤１３と、少なくともベッド部に埋設され放射体岩盤を加熱する加熱部１１と、を備えている。【選択図】図１
2006141477.tif 000002
【特許請求の範囲】
【請求項１】
床部、側壁部、天井部がコンクリートで作製された入浴室と、前記側壁部及び前記天井部の外面に形成された外壁断熱材層と、前記床部に形成された通路部と、前記通路部より高い位置で前記床部に形成されたベッド部と、前記ベッド部の上面に表面を露出して埋設された遠赤外線等の電磁波を放射する放射体岩盤と、少なくとも前記ベッド部に埋設され前記放射体岩盤を加熱する加熱部と、を備えていることを特徴とする岩盤風呂。
【請求項２】
前記入浴室の少なくとも一部が、プレキャストコンクリート躯体で形成されていることを特徴とする請求項１に記載の岩盤風呂。
【請求項３】
前記入浴室の前記側壁部及び前記天井部が、コンクリートパネルで形成されていることを特徴とする請求項１に記載の岩盤風呂。
【請求項４】
前記ベッド部が、前記床部の上部に形成された蓄熱層と、前記蓄熱層の上部に形成された中間コンクリート層と、前記中間コンクリート層の上部に形成されたベッド部断熱材層と、前記ベッド部断熱材層の上部に配設された前記加熱部と、前記加熱部の上部に形成された上部コンクリート層と、前記上部コンクリート層に表面を露出して埋設された１以上の前記放射体岩盤と、を備えていることを特徴とする請求項１乃至３の内いずれか１項に記載の岩盤風呂。
【請求項５】
前記通路部が、前記床部の上部に形成された通路断熱材層と、前記通路断熱材層の上部に形成された通路コンクリート層と、を備えていることを特徴とする請求項１乃至４の内いずれか１項に記載の岩盤風呂。
【請求項６】
前記通路部が、前記通路コンクリート層に形成された汚水排水部を有し、少なくとも前記通路コンクリート層が、前記汚水排水部に向けて低くなるように傾斜して形成されていることを特徴とする請求項５に記載の岩盤風呂。
【請求項７】
前記蓄熱層が、真砂土で形成されていることを特徴とする請求項４乃至６の内いずれか１項に記載の岩盤風呂。
【発明の詳細な説明】
【技術分野】
【０００１】
本発明は、遠赤外線等の電磁波を放射する放射体岩盤を利用した低温の岩盤風呂に関するものである。
【背景技術】
【０００２】
近年、入浴者の発汗作用を促進し健康を増進させる目的で設けられているサウナは、温泉等の施設に併用されて設置されることが多く、ダイエットや入浴後の爽快感を目的に多くの人に利用されている。
従来のサウナは内装に木材を大量に使用し省資源性に欠けると共に、木材表面に有機物が付着し易く雑菌が繁殖するため、浴室内に独特の臭いが発生し衛生的に劣るという問題点があった。また、合成樹脂製の内壁材を使用した場合、耐熱性に欠け、波打ち等の変形が発生し易く、耐久性、長寿命性に欠けるという問題点があった。
この問題点を改善するために例えば（特許文献１）には、「コンクリートで囲まれ、開閉可能なドアを有する出入口が設けられた部屋内の上部及び周壁部に遠赤外線発熱装置を装備し、床面内に遠赤外線の放射率が高いヒータを埋設して成るサウナ風呂」が開示されている。
また、（特許文献２）には、「コンクリート床の床暖房装置の下方に蓄熱用砂利層を設けたことを特徴とするサウナハウス」が開示されている。
（特許文献３）には、「建物の最下部に断熱材を設け、この上にコンクリート層を設け、更にこの層の上部に温水管を埋設したモルタル層を設け、この上に最上層として砂利及び炭を混合した温浴層を設けて、床を４層構成とし、建物の内部に蒸気吹出口を設けてなり、ボイラーからの温水を上記温水管に循環させて床最上層の温浴層を適温に加温すると共に、蒸気の噴出によって建物内を適温・適湿度に保ったことを特徴とした石風呂装置」が開示されている。
【特許文献１】実公平４−４５７０７号公報
【特許文献２】特開２００４−８９４９３号公報
【特許文献３】特許第３３９６７７６号公報
【発明の開示】
【発明が解決しようとする課題】
【０００３】
しかしながら上記従来の技術は、以下のような課題を有していた。
（１）（特許文献１）では、ドーム状の部屋全体をコンクリートで形成しなければならず施工性に欠けるという課題を有していた。また、床下に遠赤外線ヒータが埋設されているが、部屋の内周壁だけでなく床上面にも断熱材層が形成されているため、遠赤外線ヒータの熱が部屋の内部に伝わり難く、熱が外部に逃げてしまうため熱効率が悪く、遠赤外線効果が不十分で省エネルギー性、実用性に欠けるという課題を有していた。部屋の内周壁に形成された断熱材層は、部屋の内部が高温に加熱された際の耐熱性に欠けるという課題を有していた。更に、入浴者が歩く床面に直接、寝そべるなどして使用し、入浴者の汗等の汚水を排水する汚水排水部を備えていないので、非衛生的でメンテナンス性に欠けるという課題を有していた。
（２）（特許文献２）では、サウナハウスとして建物全体を建築するために天井部、壁部、床部の構造が複雑で施工に工数を要し量産性に欠けるという課題を有していた。
（３）（特許文献３）では、床最上層の温浴層が砂利と炭を混合して形成されているので、入浴時に仰臥した際に、肌に砂利や炭の角部が当たる等して刺激を受け易く、不快感を感じると共に、使用後に砂利や炭を払い落とすのがわずらわしく、特に炭はお湯をかけて落とさなければならず、実用性、使用性に欠けるという課題を有していた。また、繰り返し使用される砂利や炭に入浴者の汗等の汚水が付着し非衛生的であると共に、定期的に砂利や炭の補充や交換を行う必要があり、メンテナンス性に欠けるという課題を有していた。
【０００４】
本発明は上記従来の課題を解決するもので、放射体の遠赤外線効果を利用して低温で入浴できるため、子供からお年寄りまで幅広い年齢層が利用でき汎用性に優れ、転倒や火傷の危険がなく安全性に優れ、遠赤外線効果を利用することにより省エネルギー性に優れ、特にコンクリートパネル等のプレキャストコンクリート部材やボックスカルバート等の躯体を使用することにより、入浴室を簡単な構造で容易に形成でき設計自在性があり、建設時の工期を短縮でき生産性に優れると共に、清掃やメンテナンスの作業性に優れる衛生的な岩盤風呂を提供することを目的とする。
【課題を解決するための手段】
【０００５】
上記従来の課題を解決するために本発明の岩盤風呂は、以下の構成を有している。
本発明の請求項１に記載の岩盤風呂は、床部、側壁部、天井部がコンクリートで作製された入浴室と、前記天井部及び前記側壁部の外面に形成された外壁断熱材層と、前記床部に形成された通路部と、前記通路部より高い位置で前記床部に形成されたベッド部と、前記ベッド部の上面に表面を露出して埋設された遠赤外線等の電磁波を放射する放射体岩盤と、少なくとも前記ベッド部に埋設され前記放射体岩盤を加熱する加熱部と、を備えた構成を有している。
この構成により、以下のような作用が得られる。
（１）入浴室の床部、側壁部、天井部がコンクリートで作製され、天井部及び側壁部の外面に外壁断熱材層が形成されていることにより、入浴室の保温性、断熱性に優れ、加熱部の加熱温度を低く設定することができ、省エネルギー性に優れる。
（２）入浴室がコンクリート製であることにより、耐水性、耐久性、密閉性に優れ、信頼性を向上させることができる。
（３）ベッド部が、通路部より高い位置で床部に形成されているので、入浴者が歩く通路部と入浴者が仰臥するベッド部を完全に分離することができ、ベッド部を衛生的に保つことができる。
（４）ベッド部の上面に表面を露出して遠赤外線等の電磁波を放射する放射体岩盤が埋設されているので、加熱部の熱に加えて放射体岩盤からは遠赤外線が発生し、熱及び遠赤外線の両方が入浴者を温めるため、サウナ効果に優れると共に、加熱部の設定温度を低くすることができ、省エネルギー性に優れる。
（５）加熱部による加熱を停止しても放射体岩盤の熱容量が大きく、周囲の空気に対して長時間にわたって熱や遠赤外線を放射するため、入浴室の保温性に優れる。
（６）放射体岩盤の遠赤外線の効果で加熱部の温度を低くできるため、低温で入浴することができ、高齢者や高血圧等の患者も利用できる。
（７）通路部より高い位置にベッド部が形成されていることにより、ベッド部に埋設された加熱部から天井部までの距離を短くすることができ、入浴室内の容積が小さくなるので、短時間で入浴室全体を加熱することができると共に、加熱部の温度を低く設定することができ、加熱効率及び省エネルギー性に優れる。
【０００６】
ここで、入浴室の床部、側壁部、天井部は現場でコンクリートを打設して形成してもよいし、予め規格化され形成されたコンクリートパネル等のプレキャストコンクリート部材やボックスカルバート等の躯体を使用してもよい。これらは工場製作なので、鉄筋の加工、配筋から型枠の成型、コンクリートの打設まで一連の作業を安定した環境下で行うことができ、現場作業員の技術熟練度や天候の悪影響を排除して高い精度で入浴室を作製することができる。また、建設現場での作業工数が減り、躯体工事を簡素化できるので、施工性に優れる。尚、入浴室の内壁には必要に応じて防水処理を施すことが好ましい。これにより、カビの発生を防ぐことができ衛生的で耐久性を向上させることができる。また、光触媒をコーティングした場合、雑菌やカビの繁殖を防止できると共に、悪臭を分解、除去することができ信頼性、実用性に優れる。
【０００７】
外壁断熱材層の断熱材としては、グラスウールやロックウール等の無機繊維系、ポリスチレンフォームやウレタンフォーム等の発泡プラスチック系、木質繊維系などの断熱性の高い材料が好適に用いられる。特に発泡プラスチック系のものは断熱性及び耐久性に優れ好ましい。外壁断熱材層の外周には、モルタルの下地材となる防水性の合板等の防水加工材を配設し、外面をモルタルで仕上げることが好ましい。これにより、外壁断熱材層を保護できると共に、入浴室の内部に水が浸入するのを防止でき保温性に優れる。
ベッド部の放射体岩盤を形成する放射体としては、レキ岩、原陽石、ラドン鉱石、長石、電気石（トルマリン石）、ラジウム鉱石、麦飯石、花崗岩等の自然鉱石、石英、シリカ、人工セラミックス等を使用することができる。
【０００８】
ベッド部は通路部に並設して形成し、入浴室の広さに応じて適宜、数や配置を変更することができる。隣接するベッド部とベッド部の間やベッド部と通路部との間に仕切り板を設けた場合、周囲からの視線を遮ることができ、落ち着いて利用することができ、リラクゼーション効果を高めることができる。通路部からベッド部へ出入りする場所のみを開口させておけば、入浴者がベッド部から通路部へ転落することがなく安全性に優れる。また、ベッド部の汗等をシャワー等で洗い流す際に、隣接する他のベッド部へ汚水が流れるのを防止でき、メンテナンス性に優れる。尚、ベッド部を通路部側が低くなるように傾斜させて形成した場合、清掃時の排水性を向上させることができる。ベッド部の少なくとも足部側に排水溝を形成する。更に、該排水溝と連通してベッド部側壁に導排水溝を形成すると、汚水でベッド部側壁の導排水溝以外を汚すことなくメンテナンス性に優れる。
【０００９】
放射体岩盤としては、前述の放射体を平板状に切断研磨するか、もしくは前述の放射体を破砕して得られた破砕物をセメント等と混和して岩盤状に成形したもの等を用いることができる。方形に形成された複数枚のタイル状の放射体岩盤を人体の大きさに合わせてベッド部の上面に表面を露出させて埋設することにより、ベッド部に仰臥や横臥した入浴者を遠赤外線効果により温めることができる。また、入浴者の肩や背中、腰部等の位置に合わせて放射体岩盤を埋設した場合、選択的に遠赤外線効果を高めることができ、効率性に優れる。
放射体岩盤の厚さは、５ｍｍ〜３０ｍｍが好ましい。厚さが５ｍｍより薄くなるにつれて岩盤放射体の強度が不足すると共に、遠赤外線放射率が低下する傾向があり、また３０ｍｍより厚くなるにつれ重量が増大して搬送性や現場での設置作業性が悪くなると共に、熱伝導に時間がかかる傾向があり、いずれも好ましくない。
尚、放射体岩盤の周囲や通路部の表面は、タイル等で覆うことが好ましい。これにより、肌触りがよく、怪我などを防止でき安全性に優れると共に、放射体岩盤の欠け等を防止でき耐久性に優れる。また、通路部に歩行用板を覆設した場合、入浴者が移動する際に入浴者の汗等の汚水に直接、触れ難く衛生的に優れる。特に歩行用板をスノコ状に形成した場合、汚水が歩行用板の下に落ちて流れるため、歩行用板の上面を清潔に保つことができる。
【００１０】
加熱部としては、温熱配管、ヒートパイプ、シート状等に形成された電熱ヒータ等が好適に用いられる。
温熱配管としては、電気温水器やガス、灯油などを燃料とする温水ボイラー等の温熱源で、水、不凍液、蒸気等の媒体を加熱するものが好適に用いられる。特に、寒冷地においては媒体として不凍液を用いることが好ましい。
温熱配管やヒートパイプの管としては、ポリブデン管や架橋ポリエチレン管などが好適に用いられる。耐久性に優れ、強度があり、軽量で施工性に優れるためである。
シート状に形成された電熱ヒータは切断等の加工が容易で入浴室の形状に応じて簡便に敷設することができ、施工性、汎用性に優れ好ましい。
また、電熱ヒータの表面にセラミックス粉末を塗布したものは、遠赤外線を放射することができ、サウナ効果を向上させることができる。特に、８μｍ〜１４μｍの人体に吸収され易い波長の遠赤外線を放射することにより、体を芯から温めることができ、効率的で省エネルギー性に優れる。また、電熱ヒータとして自己温度制御性ヒータを用いた場合、少ない電流地で一定の温度を保つことができ、消費電力を低減することができ、省エネルギー性に優れる。
【００１１】
ベッド部の加熱部に温熱配管やヒートパイプを用いる場合、近接する複数のベッド部を共通の配管で加熱することができる。また、配管が一筆書きとなるように配設した場合は、温水ボイラー等の温熱源を一箇所にまとめることができ、施工性、省スペース性に優れる。ベッド部の数が多く入浴室の面積が広い場合等は、ブロック毎に配管を分割して加熱することもできる。このとき、ブロック毎に設定温度を変えることにより、高温用と低温用に使い分けることができるので、入浴者が好みに応じて選択でき汎用性、機能性に優れる。
入浴室内の温度は４０℃〜５０℃が好ましい。入浴室内の温度が４０℃より低くなるにつれ温熱効果、遠赤外線効果が不足し、発汗作用が不十分となってサウナ効果が得られ難くなる傾向があり、５０℃より高くなるにつれ高齢者や子供、女性など高温に弱い入浴者の利用が困難となって汎用性に欠ける傾向があり、いずれも好ましくない。
【００１２】
また、入浴室内の湿度は７０％〜９０％が好ましい。入浴室内の湿度が７０％より低くなるにつれ、入浴室内の湿気が不足して遠赤外線が室内の空気に吸収され難くなり、十分な遠赤外線効果が得られなくなる傾向があり、湿度が９０％より高くなるにつれ、結露が発生し易く不衛生になると共に、入浴者が不快感を感じ易くなる傾向があり、いずれも好ましくない。
尚、入浴室内に加湿器等の蒸気発生手段を配設した場合、入浴室内を加湿して常に湿度を一定に保つことができ、十分な遠赤外線効果をえることができる。また、入浴室内の清掃時に撒かれる水が加熱部で加熱され蒸発することによっても湿気が供給される。
また、入浴室の内部は換気装置により適宜、換気を行うことが好ましい。吸気口及び排気口はそれぞれ入浴室の広さに応じて１乃至複数個を入浴室の天井部若しくは天井部近くの後面壁や前面壁の上部に開口して設ける。換気装置本体は入浴室内の熱の影響を受けないように入浴室外に配設する。入浴室の入口に連設される休憩室や更衣室等に配設してもよいし、入浴室の天井部に配設してもよい。特に、換気装置として熱交換型のものを用いた場合、室外の空気を入浴室内の温度に近づけて取り入れるので、換気による室内温度の変化を最小限に抑えながら効率よく入浴室内の汚れた空気を室外の新鮮な空気と入れ換えることができる。
【００１３】
本発明の請求項２に記載の発明は、請求項１に記載の岩盤風呂であって、前記入浴室の少なくとも一部が、プレキャストコンクリート躯体で形成された構成を有している。
この構成により、請求項１で得られる作用に加え、以下のような作用が得られる。
（１）入浴室の少なくとも一部をプレキャストコンクリート躯体で形成することにより、開口部をコンクリートブロックやコンクリートパネル等で塞ぎ、出入口を形成するだけで入浴室を形成することができ、施工性に優れる。
（２）複数のプレキャストコンクリート躯体を繋ぎ合わせて入浴室を形成することができるので、建設現場での作業工数を低減でき、躯体工事を簡素化でき、施工が容易で設計自在性に優れる。
（３）プレキャストコンクリート躯体が工場製作なので、鉄筋の加工、配筋から型枠の成型、コンクリートの打設まで一連の作業を安定した環境下で行うことができ、現場作業員の技術熟練度や天候の悪影響を排除して高い精度で入浴室を作製することができる。
ここで、プレキャストコンクリート躯体としては、断面がコ字型やロ字型等に形成されたものを使用することができる。特に、断面がロ字型に形成されたボックスカルバートは前面部と後面部を塞ぐだけで容易に入浴室を形成することができ好適に用いられる。
【００１４】
本発明の請求項３に記載の発明は、請求項１に記載の岩盤風呂であって、前記入浴室の前記側壁部及び前記天井部が、コンクリートパネルで形成された構成を有している。
この構成により、請求項１で得られる作用に加え、以下のような作用が得られる。
（１）入浴室の側壁部及び天井部をコンクリートパネルで形成することにより、窓や出入口を容易に形成することができ、施工性、設計自在性に優れる。
（２）複数のコンクリートパネルを繋ぎ合わせて入浴室を形成することができるので、建設現場での作業工数を低減でき、施工が容易で設計自在性に優れる。
（３）コンクリートパネルは軽量で搬送性、加工性に優れ施工性を向上できると共に、加温や加湿によっても伸縮等が発生せず耐水性、耐久性に優れた入浴室を作製することができる。
【００１５】
ここで、コンクリートパネルはセメント、硅砂、無機質充填材等を主原料とする無機不燃材で形成することにより、防火性に優れる。また、コンクリートパネル同士をジョイントする嵌合部に弾性シーリング材を打設し本実構造とした場合、水密性に優れる。コンクリートパネルは押出し成形により作製することができ、中空構造とすることにより空気層が形成され、断熱効果を高めることができる。
【００１６】
本発明の請求項４に記載の発明は、請求項１乃至３の内いずれか１項に記載の岩盤風呂であって、前記ベッド部が、前記床部の上部に形成された蓄熱層と、前記蓄熱層の上部に形成された中間コンクリート層と、前記中間コンクリート層の上部に形成されたベッド部断熱材層と、前記ベッド部断熱材層の上部に配設された前記加熱部と、前記加熱部の上部に形成された上部コンクリート層と、前記上部コンクリート層に表面を露出して埋設された１以上の前記放射体岩盤と、を備えた構成を有している。
この構成により、請求項１乃至３の内いずれか１項で得られる作用に加え、以下のような作用が得られる。
（１）中間コンクリート層の上部に形成されたベッド部断熱材層の上部に加熱部が配設されているので、加熱部の発する熱が中間コンクリート層側に逃げ難く、効率よく放射体岩盤を加熱することができ、放射体岩盤が放射する遠赤外線等の電磁波を効率よく利用することができ、サウナ効果を向上させることができる。
（２）床部と中間コンクリート層との間に蓄熱層が形成されているので、加熱部から中間コンクリート層側に伝達された熱を蓄熱することができ入浴室内部の保温性に優れ、地中の温度が高い場所に建設した場合には、地中から床部側に伝達される地熱を蓄熱して有効利用することができる。
（３）ベッド部が通路部より高く形成されていることにより、蓄熱層を厚くして熱容量を大きくすることができ、保温性、省エネルギー性に優れる。
【００１７】
ここで、ベッド部断熱材層の断熱材としては、外壁断熱材層の断熱材と同様のものを用いることができる。
ベッド部断熱材層と加熱部との間に遠赤外線反射シートを設けた場合、加熱部から発生した熱や放射体岩盤から発生した遠赤外線を室内側に反射することができるので、遠赤外線を効率的に利用してサウナ効果を高めることができ省エネルギー性に優れる。遠赤外線反射シートとしては、アルミシートやセラミックコートシートなどが好適に用いられる。
また、放射体岩盤と同様の遠赤外線等の電磁波を放射する材質を上部コンクリート層に混ぜたり、上部コンクリート層の表面に塗布したりした場合、加熱部の熱や蓄熱層に蓄熱された熱を利用してベッド部の表面全体から遠赤外線を放射させることができ、入浴者の体を効果的に温めることができ、サウナ効果を高めることができる。
蓄熱層はモルタル、コンクリート、割栗石、砂利等で形成することができる。
【００１８】
ベッド部断熱材層の上部にメッシュ筋を配設した場合、メッシュ筋の幅に合わせて加熱部を確実に固定することができ、加熱部固定時の作業性に優れると共に、加熱部の間隔を一定に保つことができるので、ベッド部の加熱斑を低減でき、効率的かつ均一な加熱を行うことができる。
メッシュ筋としては、金属製や合成樹脂製のもの等が好適に用いられる。特に、合成樹脂製の場合、軽量で加工性、施工性に優れると共に、耐久性、防食性に優れるので好ましい。
尚、通路部に加熱部を設ける場合も、通路断熱材層の上部にメッシュ筋を配設することにより、加熱部を固定することができ、同様の作用をえることができる。
【００１９】
本発明の請求項５に記載の発明は、請求項１乃至４の内いずれか１項に記載の岩盤風呂であって、前記通路部が、前記床部の上部に形成された通路断熱材層と、前記通路断熱材層の上部に形成された通路コンクリート層と、を備えた構成を有している。
この構成により、請求項１乃至４の内いずれか１項で得られる作用に加え、以下のような作用が得られる。
（１）床部の上部に通路断熱材層が形成されているので、入浴室内の熱を床部側に逃がすことなく、効率よく入浴室内を加熱することができ、省エネルギー性を向上させることができる。
（２）通路断熱材層の上部に通路コンクリート層が形成されていることにより、通路断熱材層を保護することができ、耐久性に優れる。
【００２０】
ここで、通路断熱材層の断熱材としては、外壁断熱材層やベッド部断熱材層の断熱材と同様のものが好適に用いられる。
通路断熱材層と通路コンクリート層の間に加熱部を埋設した場合、通路部を加熱して入浴室の床部全体を満遍なく加熱することができ、通路部を移動する際にも暖かく、また、常に通路部を乾燥した状態に保つことができ衛生的で、入浴者が転倒することがなく安全性に優れる。通路部に埋設する加熱部はベッド部と共通でもよいし、独立でもよい。加熱部が独立している場合は、通路部の加熱温度を低く設定したり、加熱を停止したりでき、汎用性、省エネルギー性に優れる。
【００２１】
本発明の請求項６に記載の発明は、請求項５に記載の岩盤風呂であって、前記通路部が、前記通路コンクリート層に形成された汚水排水部を有し、少なくとも前記通路コンクリート層が、前記汚水排水部に向けて低くなるように傾斜して形成されている構成を有している。
この構成により、請求項５で得られる作用に加え、以下のような作用が得られる。
（１）通路コンクリート層に汚水排水部を形成することにより、結露した水滴や入浴者の汗などの汚水を排水することができ、衛生的に優れる。
（２）通路コンクリート層に汚水排水部を形成することにより、清掃時の水を簡便に排水することができ、清掃作業性を向上させることができる。
（３）少なくとも通路コンクリート層が、汚水排水部に向けて低くなるように傾斜して形成されていることにより、全ての汚水を確実かつ速やかに汚水排水部から排水することができ衛生的で実用性に優れる。
【００２２】
ここで、汚水排水部から汚水を排水させるためには、少なくとも通路コンクリート層が、汚水排水部に向けて低くなるように傾斜して形成されていればよいが、予め床部全体を傾斜させてもよい。特に入浴室の床部をボックスカルバート等のプレキャストコンクリート躯体で形成する場合、床部に相当する部分を予め１°〜３°傾斜させて成形を行ってもよいし、施工時に躯体自体を傾斜させて設置してもよい。
汚水排水部にはストレーナを配設することが好ましい。これにより、髪の毛やゴミ等の異物が汚水と一緒に汚水排水部につながる排水管に流れ込むのを防止でき、排水管の詰まりを防止できるので、清掃時の作業性、メンテナンス性に優れる。
尚、排水管を通路コンクリート層に埋設した場合、通路断熱材層や床部の加工が不要となり、排水管の配管が容易で施工性に優れる。
【００２３】
本発明の請求項７に記載の発明は、請求項４乃至６の内いずれか１項に記載の岩盤風呂であって、前記蓄熱層が、真砂土で形成されている構成を有している。
この構成により、請求項４乃至６の内いずれか１項で得られる作用に加え、以下のような作用が得られる。
（１）蓄熱層を盛土用材料として良好な真砂土で形成することにより、水平出しが容易で施工性に優れると共に、ベッド部の沈下を防止でき信頼性、長寿命性に優れる。
【００２４】
ここで、施工時に真砂土を転圧することにより空気が抜け、蓄熱層を締め固めることができ、沈下を防止できる。特に転圧時に水を撒くことで、より強固に締め固めることができ、耐久性を向上させることができる。
尚、蓄熱層の外側面にコンクリートブロックやコンクリート板等を配設することにより、蓄熱層の保温性を向上させることができると共に、蓄熱層がベッド部の基礎として上層のベッド部断熱材層や放射体岩盤等を支持することができる。更に、ベッド部の外周にタイル等でベッド部側壁を形成した場合、ベッド部の蓄熱性を向上させることができ、省エネルギー性に優れる。
【発明の効果】
【００２５】
以上のように、本発明の岩盤風呂は、請求項１に記載の発明によれば、以下のような有利な効果が得られる。
（１）入浴室の床部、側壁部、天井部がコンクリートで作製され、天井部及び側壁部の外面に断熱材層が形成されていることにより、入浴室の保温性、断熱性に優れ、加熱部の加熱温度を低く設定することができる省エネルギー性に優れた岩盤風呂を提供することができる。
（２）入浴室がコンクリート製であることにより、耐水性、耐久性、密閉性に優れ、側壁部等に波打ち等の変形や腐食が発生せず信頼性、長寿命性に優れた岩盤風呂を提供することができる。
（３）ベッド部が、通路部より高い位置で床部に形成されているので、入浴者が歩く通路部と入浴者が仰臥するベッド部を完全に分離することができる衛生的で信頼性に優れた岩盤風呂を提供することができる。
（４）ベッド部の上面に表面を露出して遠赤外線等の電磁波を放射する放射体岩盤が埋設されているので、加熱部の熱に加えて放射体岩盤からは遠赤外線が発生し、熱及び遠赤外線の両方が入浴者を温めるため、サウナ効果に優れると共に、加熱部の設定温度を低くすることができる省エネルギー性に優れた岩盤風呂を提供することができる。
（５）加熱部による加熱を停止しても放射体岩盤の熱容量が大きく、周囲の空気に対して長時間にわたって熱や遠赤外線を放射することができる入浴室の保温性に優れた岩盤風呂を提供することができる。
（６）放射体岩盤の遠赤外線の効果で加熱部の温度を低くできるため、低温で入浴することができ、高齢者や高血圧等の患者も利用できる汎用性に優れた岩盤風呂を提供することができる。
（７）通路部より高い位置にベッド部が形成されていることにより、ベッド部に埋設された加熱部から天井部までの距離を短くすることができ、入浴室内の容積が小さくなるので、短時間で入浴室全体を加熱することができると共に、加熱部の温度を低く設定することができ、加熱効率及び省エネルギー性に優れた岩盤風呂を提供することができる。
【００２６】
請求項２に記載の発明によれば、請求項１に記載の効果に加えて以下のような有利な効果が得られる。
（１）入浴室の少なくとも一部をプレキャストコンクリート躯体で形成することにより、開口部をコンクリートブロックやコンクリートパネル等で塞ぎ、出入口を形成するだけで入浴室を形成することができ、施工性に優れた岩盤風呂を提供することができる。
（２）複数のプレキャストコンクリート躯体を繋ぎ合わせて入浴室を形成することができるので、建設現場での作業工数を低減でき、躯体工事を簡素化でき、施工が容易で設計自在性に優れた岩盤風呂を提供することができる。
（３）プレキャストコンクリート躯体が工場製作なので、鉄筋の加工、配筋から型枠の成型、コンクリートの打設まで一連の作業を安定した環境下で行うことができ、現場作業員の技術熟練度や天候の悪影響を排除して高い精度で入浴室を作製することができる高品質性に優れた岩盤風呂を提供することができる。
【００２７】
請求項３に記載の発明によれば、請求項１に記載の効果に加えて以下のような有利な効果が得られる。
（１）入浴室の側壁部及び天井部をコンクリートパネルで形成することにより、窓や出入口を容易に形成することができ、施工性、設計自在性に優れた岩盤風呂を提供することができる。
（２）複数のコンクリートパネルを繋ぎ合わせて入浴室を形成することができるので、建設現場での作業工数を低減でき、施工が容易で設計自在性に優れた岩盤風呂を提供することができる。
（３）コンクリートパネルは軽量で搬送性、加工性に優れ施工性を向上できると共に、加温や加湿によっても伸縮等が発生せず耐水性、耐久性に優れた岩盤風呂を提供することができる。
【００２８】
請求項４に記載の発明によれば、請求項１乃至３の内いずれか１項に記載の効果に加えて以下のような有利な効果が得られる。
（１）中間コンクリート層の上部に形成されたベッド部断熱材層の上部に加熱部が配設されているので、加熱部の発する熱が中間コンクリート層側に逃げ難く、効率よく放射体岩盤を加熱することができ、放射体岩盤が放射する遠赤外線等の電磁波を効率よく利用することができるサウナ効果に優れた岩盤風呂を提供することができる。
（２）床部と中間コンクリート層との間に蓄熱層が形成されているので、加熱部から中間コンクリート層側に伝達された熱を蓄熱することができ入浴室内部の保温性に優れ、地中の温度が高い場所に建設した場合には、地中から床部側に伝達される地熱を蓄熱して有効利用することができる省エネルギー性に優れた岩盤風呂を提供することができる。
（３）ベッド部が通路部より高く形成されていることにより、蓄熱層を厚くして熱容量を大きくすることができる保温性、省エネルギー性に優れた岩盤風呂を提供することができる。
【００２９】
請求項５に記載の発明によれば、請求項１乃至４の内いずれか１項に記載の効果に加えて以下のような有利な効果が得られる。
（１）床部の上部に形成された通路断熱材層により、入浴室内の熱が床部側に逃げるのを防止でき、効率よく入浴室内を加熱することができ、省エネルギー性を向上させることができる効率性に優れた岩盤風呂を提供することができる。
（２）通路断熱材層の上部に通路コンクリート層が形成されていることにより、通路断熱材層を保護することができる耐久性に優れた岩盤風呂を提供することができる。
【００３０】
請求項６に記載の発明によれば、請求項５に記載の効果に加えて以下のような有利な効果が得られる。
（１）通路コンクリート層に汚水排水部を形成することにより、結露した水滴や入浴者の汗などの汚水を排水することができる衛生的で実用性に優れた岩盤風呂を提供することができる。
（２）通路コンクリート層に汚水排水部を形成することにより、清掃時の水を簡便に排水することができる清掃作業性に優れた岩盤風呂を提供することができる。
（３）少なくとも通路コンクリート層が、汚水排水部に向けて低くなるように傾斜して形成されていることにより、全ての汚水を確実かつ速やかに汚水排水部から排水することができ衛生的で実用性に優れた岩盤風呂を提供することができる。
【００３１】
請求項７に記載の発明によれば、請求項４乃至６の内いずれか１項に記載の効果に加えて以下のような有利な効果が得られる。
（１）蓄熱層を盛土用材料として良好な真砂土で形成することにより、水平出しが容易で施工性に優れると共に、ベッド部の沈下を防止でき信頼性、長寿命性に優れた岩盤風呂を提供することができる。
【発明を実施するための最良の形態】
【００３２】
以下、本発明の実施の形態における岩盤風呂について、図面を参照しながら説明する。
（実施の形態１）
図１は実施の形態１における岩盤風呂の要部断面側面図であり、図２は実施の形態１における岩盤風呂の要部断面平面図であり、図３は実施の形態１における岩盤風呂の加熱部を示す模式平面図である。
図１乃至図３中、１は実施の形態１における岩盤風呂、２は床部２ａ、側壁部２ｂ、天井部２ｃをボックスカルバートで形成し前面壁２ｄ及び後面壁２ｅをコンクリートブロックやコンクリートパネル等で形成した岩盤風呂１の入浴室、２ｆは入浴室２の前面壁２ｄ側に形成された入浴室２の出入口、３は入浴室２の側壁部２ｂ、天井部２ｃ、前面壁２ｄ及び後面壁２ｅの外面に形成された外壁断熱材層、３ａは外壁断熱材層３の外周に配設され防水性の合板等の下地材の外面をモルタル仕上げした外装材、４は入浴室２の内部に略コ字型に配置され入浴者が仰臥や横臥などをするベッド部、５は床部２の上部に真砂土によって形成されたベッド部４の蓄熱層、６は蓄熱層５の外側面に配設されたコンクリートブロック、８は蓄熱層５及びコンクリートブロック６の上部に形成された中間コンクリート層、９は中間コンクリート層８の上部に形成されたベッド部断熱材層、１０はベッド部断熱材層９の上部に配設されたメッシュ筋、１１はベッド部４のメッシュ筋１０の上部に固定されベッド部４を加熱する温熱配管を用いた加熱部、１１ａは入浴室２の外部に配設され側壁部２ｂを介して加熱部１１に接続され水、不凍液、蒸気等の媒体を加熱して循環させる温水ボイラー等の温熱源、１２は加熱部１１の上部に形成されたベッド部４の上部コンクリート層、１３は上部コンクリート層１２に表面を露出して埋設され遠赤外線等の電磁波を放射する１以上の放射体岩盤、１３ａは上部コンクリート層１２の上部に放射体岩盤１３の外周を囲繞するようにタイルを敷設して形成されたベッド部４の岩盤囲繞部、１３ｂはベッド部４のコンクリートブロック６，ベッド部断熱材層９，上部コンクリート層１２等の外周にタイル等を貼設して形成されたベッド部側壁、１４は略Ｔ字型に形成されベッド部４の上部に配設され複数のベッド部４を区切る仕切り板、１５は入浴室２の両側に配置されたベッド部４とベッド部４との間に形成され入浴者が移動するための通路部、１６は床部２ａの上部に形成された通路断熱材層、１９は通路断熱材層１６の上部に形成された通路コンクリート層、１９ａ（図２参照）は通路コンクリート層１９に形成され結露した水滴や入浴者の汗などの汚水を外部へ排水する汚水排水部、２０は木材やセラミック、合成樹脂等でスノコ状に形成され通路コンクリート層１９に覆設された歩行用板、２１は天井部２ｃに配設された換気装置、２１ａは換気装置２１に接続され入浴室２の天井部２ｃ近くの前面壁２ｄ側の上部で開口（図２参照）して入浴室２の内部に外気を供給する排気口、２１ｂは天井部２ｃを通って換気装置２１に接続され入浴室２の天井部２ｃ近くの後面壁２ｅ側の上部で開口して（図２参照）入浴室２内部の空気を換気装置２１に送気する吸気口である。
【００３３】
断面が略ロ字型に形成された複数のボックスカルバートを接続することで入浴室２の床部２ａ、側壁部２ｂ、天井部２ｃを形成した。これにより、現場ではコンクリートブロックやコンクリートパネル等で前面壁２ｄ及び後面壁２ｅを形成するだけでよく、現場での作業工数が減り、躯体工事を簡素化できるので、施工性に優れる。
また、予め規格化され工場製作されたボックスカルバートを使用することにより、鉄筋の加工、配筋から型枠の成型、コンクリートの打設まで一連の作業を安定した環境下で行うことができ、現場作業員の技術熟練度や天候の悪影響を排除して高い精度で入浴室２を作製することができ、生産性、信頼性を向上することができる。
尚、ボックスカルバートの代りにコンクリートパネルを使用して側壁部２ｂや天井部２ｃを形成してもよいし、現場で全てのコンクリートを打設して入浴室２を形成してもよい。
コンクリートパネルはセメント、硅砂、無機質充填材等を主原料とする無機不燃材で形成することにより、防火性に優れる。また、コンクリートパネル同士をジョイントする嵌合部に弾性シーリング材を打設し本実構造とした場合、水密性に優れる。更に、コンクリートパネルは押出し成形により作製することができ、中空構造とすることにより内部に空気層が形成され、断熱効果を高めることができる。
尚、入浴室２の出入口２ｆには扉（図示せず）を設け、入浴室２と連設された休憩室や更衣室（図示せず）との出入りを可能にすると共に、入浴室２の密閉性、保温性を確保している。また、入浴室２とそれに連設される休憩室や更衣室との間に風除室を形成した場合、入浴室２内の熱や湿気が休憩室や更衣室に逃げ難く、サウナ効率の低下を防ぐことができる。
【００３４】
外壁断熱材層３、ベッド部断熱材層９、通路断熱材層１６の断熱材として、グラスウールやロックウール等の無機繊維系、ポリスチレンフォームやウレタンフォーム等の発泡プラスチック系、木質繊維系などの断熱性の高い材料を使用した。また、防水性の合板等の下地材の外面をモルタル仕上げした外装材３ａを外壁断熱材層３の外周に配設したことにより、外壁断熱材層３を保護できると共に、入浴室２の内部に水が浸入するのを防止でき保温性に優れる。
ベッド部４に蓄熱層５を形成することにより、加熱部１１から中間コンクリート層８側に伝達された熱を蓄熱することができ入浴室２内部の保温性に優れる。また、地中の温度が高い場所に岩盤風呂１を建設した場合には、地中から床部２ａ側に伝達される地熱を蓄熱して有効利用することができる。
また、通路部１５より高い位置にベッド部４が形成されていることにより、ベッド部４に埋設された加熱部１１から天井部２ｃまでの距離を短くすることができ、入浴室２内の容積を小さくすることができると共に、蓄熱層５を厚くして熱容量を大きくすることができるので、短時間で入浴室２全体を加熱することができ、かつ加熱部１１の温度を低く設定することができ、加熱効率及び省エネルギー性に優れる。
【００３５】
蓄熱層５の施工時には真砂土を転圧することにより空気を抜くことができ、蓄熱層５を締め固めてベッド部４の沈下を防止し、耐久性を向上させることができる。尚、蓄熱層５の外側面にコンクリートブロック６を配設することにより、蓄熱層５の転圧作業を容易にすると共に、蓄熱層５の保温性を向上させている。蓄熱層５がベッド部４の基礎として上層の中間コンクリート層８，ベッド部断熱材層９，放射体岩盤１３等を支持することができ信頼性に優れる。また、中間コンクリート層８によりコンクリートブロック６の上部を固定すると共に、ベッド部断熱材層９を支持固定することができる。
尚、ベッド部断熱材層９と加熱部１１との間にアルミシートやセラミックコートシートなどの遠赤外線反射シートを設けてもよい。これにより、加熱部１１から発生した熱や放射体岩盤１３から発生した遠赤外線を入浴室内２側に反射することができるので、遠赤外線を効率的に利用してサウナ効果を高めることができ、省エネルギー性に優れる。
【００３６】
メッシュ筋１０としては、金属製や合成樹脂製のものを用いた。特に、合成樹脂製の場合、軽量で加工性、施工性に優れると共に、耐久性、防食性に優れる。メッシュ筋１０により加熱部１１を等間隔で確実に固定でき、加熱斑を低減させている。
加熱部１１の温熱配管としては、ポリブデン管や架橋ポリエチレン管などを用いた。耐久性に優れ、強度があり、軽量で施工性に優れることがわかったためである。
ベッド部４の加熱部１１に用いた温熱配管は、図３に示すように一筆書きとなるように配設した。これにより、温熱源１１ａを一箇所にまとめることができ、施工性、省スペース性に優れる。
本実施の形態では、加熱部１１の配管を一筆書きにしたが、例えば通路部１５の左右で配管を分割し、個別に加熱してもよい。特に、ベッド部４の数が多い場合や入浴室２の面積が広い場合等は、ブロック毎に配管を分割して加熱することにより、個別に温度を設定することができ、温度管理が容易であると共に、設定温度を変えることにより、複数のベッド部４を高温用と低温用に使い分けることができる。入浴者が好みに応じてベッド部４の温度を選択でき汎用性、機能性に優れる。
【００３７】
また、加熱部１１は通路部１５にも設けることができる。このとき、加熱部１１は通路断熱材層１６と通路コンクリート層１９の間に埋設されるが、通路断熱材層１６の上部にメッシュ筋１０を配設することにより、加熱部１１を確実に固定することができる。通路部１５に加熱部１１を設けた場合、通路部１５を加熱して入浴室２の床部２ａ全体を満遍なく加熱することができ、通路部１５を移動する際にも暖かく、また、常に通路部１５を乾燥した状態に保つことができ衛生的で、入浴者が転倒することがなく安全性に優れる。
尚、通路部１５に埋設する加熱部１１はベッド部４と共通でもよいし、独立でもよい。通路部１５の加熱部１１が独立している場合は、通路部１５の加熱温度を低く設定したり、加熱を停止したりでき、汎用性、省エネルギー性に優れる。
【００３８】
また、本実施の形態では加熱部１１として温熱配管を用いたが、代りにヒートパイプやシート状等に形成された電熱ヒータ等を用いることができる。電熱ヒータの表面にセラミックス粉末を塗布したものは、遠赤外線を放射することができ、サウナ効果を向上させることができる。特に、８μｍ〜１４μｍの人体に吸収され易い波長の遠赤外線を放射することにより、体を芯から温めることができ、効率的で省エネルギー性に優れる。また、電熱ヒータとして自己温度制御性ヒータを用いた場合、少ない電流地で一定の温度を保つことができ、消費電力を低減することができ、省エネルギー性に優れる。
【００３９】
ベッド部４の放射体岩盤１３を形成する放射体としては、レキ岩、原陽石、ラドン鉱石、長石、電気石（トルマリン石）、ラジウム鉱石、麦飯石、花崗岩等の自然鉱石、石英、シリカ、人工セラミックス等を使用した。これらの放射体を平板状に切断研磨するか、もしくは破砕して得られた破砕物をセメント等と混和して岩盤状に成形したもの等を用いた。
方形に形成された複数枚のタイル状の放射体岩盤１３を人体の大きさに合わせてベッド部４の上面に表面を露出させて埋設することにより、ベッド部４に仰臥や横臥した入浴者を遠赤外線効果により温めることができる。尚、放射体岩盤１３の厚さは、５ｍｍ〜３０ｍｍに形成した。放射体岩盤１３の厚さが５ｍｍより薄くなるにつれて岩盤放射体１３の強度が不足すると共に、遠赤外線放射率が低下する傾向があり、３０ｍｍより厚くなるにつれ重量が増大して搬送性や現場での設置作業性が悪くなると共に、熱伝導に時間がかかる傾向があることがわかったためである。
また、放射体岩盤１３の外周を囲繞するようにタイルを敷設して岩盤囲繞部１３ａを形成した。これにより、仰臥時や横臥時に肌触りがよく、入浴者の怪我などを防止でき安全性に優れると共に、放射体岩盤１３の欠け等を防止でき耐久性に優れる。
【００４０】
ベッド部４の外周にタイル等でベッド部側壁１３ｂを形成することにより、ベッド部４の蓄熱性、省エネルギー性を向上させている。尚、放射体岩盤１３と同様の遠赤外線等の電磁波を放射する放射体の粉末を上部コンクリート層１２に混ぜたり、上部コンクリート層１２の表面に塗布したりした場合、加熱部１１の熱や蓄熱層５に蓄熱された熱を利用してベッド部４の表面全体から遠赤外線を放射させることができ、入浴者の体を効果的に温めることができ、サウナ効果を高めることができる。
また、隣接するベッド部４とベッド部４の間、及びベッド部４と通路部１５との間には仕切り板１４を設けた。これにより、他の利用者からの視線を遮ることができ、落ち着いて利用することができ、リラクゼーション効果を高めることができる。ベッド部４とベッド部４の間を仕切り板１４で仕切ったことにより、ベッド部４の汗等をシャワー等で洗い流す際に、隣接する他のベッド部４へ汚水が流れるのを防止でき、衛生的でメンテナンス性に優れる。尚、ベッド部４を通路部１５側が低くなるように傾斜させて形成することにより、清掃時の排水性に優れる。
【００４１】
通路部１５の通路コンクリート層１９は汚水排水部１９ａに向けて低くなるように傾斜して形成した。これにより、結露した水滴や入浴者の汗などの汚水を確実かつ速やかに汚水排水部１９ａから排水することができ、清掃作業性に優れ、衛生的で実用性に優れる。
尚、本実施の形態では、通路コンクリート層１９のみを傾斜させたが、入浴室２の床部２ａをボックスカルバート等のプレキャストコンクリート躯体で形成する場合、床部２ａに相当する部分を予め１°〜３°傾斜させて成形することができ、現場での工数を低減でき施工性を向上できる。
尚、排水管を通路コンクリート層１９の長手方向に埋設した場合、通路断熱材層１６や床部２ａを貫通させる加工が不要となり、排水管の配管が容易で施工性に優れる。
【００４２】
通路コンクリート層１９の上部にはスノコ状の歩行用板２０を覆設した。これにより、入浴者の汗等の汚水が歩行用板２０の下に落ちて流れるため、歩行用板２０の上面を清潔に保つことができると共に、入浴者が移動する際に汚水に直接、触れ難く衛生的に優れる。通路コンクリート層１９の上面にタイル等を敷設した場合、歩行用板２０を敷かなくてもよい。通路コンクリート層１９が表面に露出するのを防いで通路コンクリート層１９を保護でき、表面を滑らかにして入浴者の手や足等が触れた場合でも怪我などを防止でき安全性に優れると共に、水捌けをよくすることができ、衛生的で信頼性に優れる。
尚、本実施の形態ではベッド部４を通路部１５に並設して略コ字型に配設したが、入浴室２の広さに応じて適宜、数や配置を変更することができる。
【００４３】
また、入浴室２の内部は熱交換型の換気装置２１により換気を行った。室外の空気を入浴室２内の温度に近づけて取り入れることができるので、換気による室内温度の変化を最小限に抑えながら効率よく入浴室２内の汚れた空気を室外の新鮮な空気と入れ換えることができる。また、同時に湿度を管理することができ、サウナ効果を低減させることなく効率性に優れる。尚、本実施の形態では、吸気口２１ａ及び排気口２１ｂを入浴室２の出入口２ｆ側と奥側にそれぞれ１個ずつ設けたが、入浴室２の広さに応じて任意の箇所に複数個設けることができる。また、換気装置本体２１は入浴室２内の熱の影響を受けない場所に設置すればよく、入浴室２に連設される休憩室や更衣室等に配設してもよい。室内に設置した場合、風雨に晒されることがなく耐久性に優れる。
【００４４】
次にベッド部の変形例について説明する。
図４は実施の形態１における岩盤風呂のベッド部の変形例を示す要部斜視図である。
図４の変形例が実施の形態１と異なるのは、ベッド部４ａの上部に配設され複数のベッド部４を区切る仕切り板１４ａが略Ｌ字型に形成されている点と、ベッド部４ａの足部側の上面にベッド部４ａの長手方向と直交して形成された排水溝２３ａを有する点と、排水溝２３ａと連通してベッド部側壁１３ｂに鉛直方向に形成された導排水溝２３ｂを有する点である。
仕切り板１４ａを略Ｌ字型に形成し通路部１５からベッド部４ａへ出入りする場所のみを開口させたことにより、入浴者がベッド部４ａから通路部１５へ転落することがなく安全性に優れる。また、排水溝２３ａを形成したことにより、ベッド部４ａの清掃時にベッド部４ａの表面に溜まった排水を通路部１５側へ案内することができ排水性を向上させている。更に、排水溝２３ａと連通させて導排水溝２３ｂを形成したことにより、汚水でベッド部側壁１３ｂの導排水溝２３ｂ以外を汚すことがなくメンテナンス性に優れる。
【００４５】
以上のように形成された実施の形態１における岩盤風呂の使用方法について説明する。
温熱源１１ａから加熱部１１に６０℃〜８５℃の温水等の媒体を供給、循環させることにより、ベッド部４の放射体岩盤１３を加熱し、入浴室２内の温度が４０℃〜５０℃となるように調節した。入浴室２内の温度が４０℃より低くなるにつれ温熱効果、遠赤外線効果が不足し、発汗作用が不十分となってサウナ効果が得られ難くなる傾向があり、５０℃より高くなるにつれ高齢者や子供、女性など高温に弱い入浴者の利用が困難となって汎用性に欠ける傾向があることがわかったためである。
また、入浴室２内の湿度は７０％〜９０％となるように加湿した。入浴室２内の湿度が
７０％より低くなるにつれ、入浴室２内の湿気が不足して遠赤外線が室内の空気に吸収され難くなり、十分な遠赤外線効果が得られなくなる傾向があり、湿度が９０％より高くなるにつれ、結露が発生し易く不衛生となると共に、入浴者が不快感を感じ易くなる傾向があることがわかったためである。
【００４６】
入浴室２内に加湿器等の蒸気発生手段を配設した場合、入浴室２内を加湿して常に湿度を一定に保つことができ、十分な遠赤外線効果をえることができる。尚、入浴室２内の清掃時に撒かれる水が放射体岩盤１３の熱で蒸発することによっても湿気が供給される。
入浴者は、放射体岩盤１３の上面に直接か、若しくはムシロやタオル、シーツ等の敷物を敷いた上に仰臥や横臥するなどして入浴する。放射体岩盤１３からは加熱部１１の熱に加え、放射体岩盤１３から遠赤外線が放射されるので、熱及び遠赤外線の両方が入浴者を温め、発汗作用、サウナ効果に優れる。
入浴者から排出された汗の大部分は、入浴者の浴衣、タオルやシーツ等の敷物に吸収されるが、使用後にベッド部４をタオル等で拭取るか、水で洗い流して通路部１５の汚水排水部１９ａから排水することにより、ベッド部４を衛生的に保つことができる。尚、ベッド部４の放射体岩盤１３等の上面に残った水分は加熱部１１の発する熱などにより短時間で蒸発し乾燥する。
【００４７】
以上のように実施の形態１における岩盤風呂は構成されているので、以下のような作用が得られる。
（１）入浴室２の床部２ａ、側壁部２ｂ、天井部２ｃがコンクリート製のボックスカルバートで形成され、側壁部２ｂ及び天井部２ｃの外面に外壁断熱材層３が形成されていることにより、入浴室２の保温性、断熱性に優れ、加熱部１１の加熱温度を低く設定することができ、省エネルギー性に優れる。
（２）入浴室２がコンクリート製であることにより、耐水性、耐久性、密閉性に優れ、信頼性を向上させることができる。
（３）入浴室２の床部２ａ、側壁部２ｂ、天井部２ｃをプレキャストコンクリート躯体であるボックスカルバートで形成することにより、その開口部をコンクリートブロックやコンクリートパネル等で塞ぎ、前面壁２ｄ及び後面壁２ｅを形成するだけで入浴室２を形成することができ、施工性に優れる。
（４）複数のボックスカルバートを繋ぎ合わせて入浴室２を形成することにより、建設現場での作業工数を低減でき、躯体工事を簡素化でき、施工が容易で設計自在性に優れる。
（５）入浴室２を形成するボックスカルバートが工場製作なので、鉄筋の加工、配筋から型枠の成型、コンクリートの打設まで一連の作業を安定した環境下で行うことができ、現場作業員の技術熟練度や天候の悪影響を排除して高い精度で入浴室２を作製することができる。
（６）入浴室２の前面壁２ｄや後面壁２ｅをコンクリートパネルやコンクリートブロックで形成することにより、窓や出入口２ｆを容易に形成することができ、施工性、設計自在性に優れる。
（７）ボックスカルバートの代りに複数のコンクリートパネルを繋ぎ合わせて入浴室２の側壁部２ｂや天井部２ｃを形成した場合、軽量で搬送性、加工性に優れ、施工が容易で建設現場での作業工数を低減でき、設計自在性に優れると共に、加温や加湿によっても伸縮等が発生せず耐水性、耐久性に優れた入浴室２を作製することができる。
（８）ベッド部４が、通路部１５より高い位置で床部２に形成されているので、入浴者が歩く通路部１５と入浴者が仰臥するベッド部４を完全に分離することができ、ベッド部４を衛生的に保つことができる。
（９）通路部１５より高い位置にベッド部４が形成されていることにより、ベッド部４に埋設された加熱部１１から天井部２ｃまでの距離を短くすることができ、入浴室２内の容積が小さくなるので、短時間で入浴室２全体を加熱することができると共に、加熱部１１の温度を低く設定することができ、加熱効率及び省エネルギー性に優れる。
（１０）ベッド部２の上面に表面を露出して遠赤外線等の電磁波を放射する放射体岩盤１３が埋設されているので、加熱部１１の熱に加えて放射体岩盤１３からは遠赤外線が発生し、熱及び遠赤外線の両方が入浴者を温めるため、サウナ効果に優れると共に、加熱部１１の設定温度を低くすることができ、省エネルギー性に優れる。
（１１）加熱部１１による加熱を停止しても放射体岩盤１３の熱容量が大きく、周囲の空気に対して長時間にわたって熱や遠赤外線を放射するため、入浴室２の保温性に優れる。
（１２）放射体岩盤１３の遠赤外線の効果で加熱部１１の温度を低くできるため、低温で入浴することができ、高齢者や高血圧等の患者も利用できる。
（１３）放射体岩盤１３の外周にタイルを敷設して岩盤囲繞部１３ａを形成することにより、入浴者がベッド部４に仰臥した際に肌触りがよく、怪我などを防止でき安全性に優れると共に、放射体岩盤１３の欠け等を防止でき耐久性に優れる。
（１４）通路部１５にスノコ状の歩行用板２０を覆設することにより、入浴者が移動する際に汗等の汚水に直接、触れ難く衛生的に優れると共に、汚水が歩行用板２０の下に落ちて流れるため、歩行用板２０の上面を清潔に保つことができる。
（１５）床部２ａの上部に通路断熱材層１６が形成されているので、入浴室２内の熱を床部２ａ側に逃がすことなく、効率よく入浴室２内を加熱することができ、省エネルギー性を向上させることができる。
（１６）通路断熱材層１６の上部に形成された通路コンクリート層１９により、通路断熱材層１６を保護することができ、耐久性に優れる。
（１７）ベッド部４の加熱部１１の配管が一筆書きとなるように配設した場合、温熱源１１ａを一箇所にまとめることができ、施工性、省スペース性に優れる。
（１８）ベッド部４の数が多い場合や入浴室２の面積が広い場合等は、ブロック毎に配管を分割して加熱することにより、個別に温度を設定することができ、温度管理が容易であると共に、設定温度を変えることにより、複数のベッド部４を高温用と低温用に使い分けることができる。
（１９）ベッド部４の中間コンクリート層８の上部に形成されたベッド部断熱材層９の上部に加熱部１１が配設されているので、加熱部１１の発する熱が中間コンクリート層８側に逃げ難く、効率よく放射体岩盤１３を加熱することができ、放射体岩盤１３が放射する遠赤外線等の電磁波を効率よく利用することができ、サウナ効果を向上させることができる。
（２０）床部２ａとベッド部４の中間コンクリート層８との間に蓄熱層５が形成されているので、加熱部１１から中間コンクリート層８側に伝達された熱を蓄熱することができ入浴室２内部の保温性に優れ、地中の温度が高い場所に建設した場合には、地中から床部２ａ側に伝達される地熱を蓄熱して有効利用することができる。
（２１）ベッド部４が通路部１５より高く形成されていることにより、蓄熱層５を厚くして熱容量を大きくすることができ保温性、省エネルギー性に優れる。
（２２）ベッド部断熱材層９の上部にメッシュ筋１０が配設されていることにより、メッシュ筋１０の幅に合わせて加熱部１１を確実に固定することができ、加熱部１１固定時の作業性に優れると共に、加熱部１１の間隔を一定に保つことができるので、ベッド部４の加熱斑を低減でき、効率的かつ均一な加熱を行うことができる。
（２３）通路コンクリート層１９に汚水排水部１９ａを形成することにより、結露した水滴や入浴者の汗などの汚水を排水することができ、衛生的に優れる。
（２４）通路コンクリート層１９に汚水排水部１９ａを形成することにより、清掃時の水を簡便に排水することができ、清掃作業性を向上させることができる。
（２５）少なくとも通路コンクリート層１９が、汚水排水部１９ａに向けて低くなるように傾斜して形成されていることにより、全ての汚水を確実かつ速やかに汚水排水部１９ａから排水することができ衛生的で実用性に優れる。
（２６）蓄熱層５を盛土用材料として良好な真砂土で形成することにより、水平出しが容易で施工性に優れると共に、ベッド部４の沈下を防止でき信頼性、長寿命性に優れる。
（２７）蓄熱層５の外側面にコンクリートブロック６を配設することにより、蓄熱層５の保温性を向上させることができると共に、蓄熱層５がベッド部４の基礎として上層のベッド部断熱材層９や放射体岩盤１３等を支持することができる。
（２８）ベッド部４の外周にタイル等でベッド部側壁１３ｂを形成することにより、ベッド部４の蓄熱性を向上させることができ、省エネルギー性に優れる。
【産業上の利用可能性】
【００４８】
本発明は、遠赤外線効果を利用した低温の岩盤風呂に関し、放射体の遠赤外線効果を利用して低温で入浴できるため、子供からお年寄りまで幅広い年齢層が利用でき汎用性に優れ、転倒や火傷の危険がなく安全性に優れ、遠赤外線効果を利用することにより省エネルギー性に優れ、特にコンクリートパネル等のプレキャストコンクリート部材やボックスカルバート等の躯体を使用することにより、入浴室を簡単な構造で容易に形成でき設計自在性があり、建設時の工期を短縮でき生産性に優れると共に、清掃やメンテナンスの作業性に優れる衛生的な岩盤風呂を提供することができ、健康増進やダイエット、温熱療法等を目的とした施設として好適に用いることができる。
【図面の簡単な説明】
【００４９】
【図１】実施の形態１における岩盤風呂の要部断面側面図
【図２】実施の形態１における岩盤風呂の要部断面平面図
【図３】実施の形態１における岩盤風呂の加熱部を示す模式平面図
【図４】実施の形態１における岩盤風呂のベッド部の変形例を示す要部斜視図
【符号の説明】
【００５０】
１    実施の形態１における岩盤風呂
２    入浴室
２ａ    床部
２ｂ    側壁部
２ｃ    天井部
２ｄ    前面壁
２ｅ    後面壁
２ｆ    出入口
３    外壁断熱材層
３ａ    外装材
４、４ａ    ベッド部
５    蓄熱層
６    コンクリートブロック
８    中間コンクリート層
９    ベッド部断熱材層
１０    メッシュ筋
１１    加熱部
１１ａ    温熱源
１２    上部コンクリート層
１３    放射体岩盤
１３ａ    岩盤囲繞部
１３ｂ    ベッド部側壁
１４、１４ａ    仕切り板
１５    通路部
１６    通路断熱材層
１９    通路コンクリート層
１９ａ    汚水排水部
２０    歩行用板
２１    換気装置
２１ａ    排気口
２１ｂ    吸気口
２３ａ    排水溝
２３ｂ    導排水溝
【図１】
2006141477.tif 000003
【図２】
2006141477.tif 000004
【図３】
2006141477.tif 000005
【図４】
2006141477.tif 000006